(57)【要約】スペクトルの異なる部分における光を生成するために、１以上の光源を備えた光通信システムであって、１以上の光源によって生成される前記光を入力信号で変調するための複数の光変調器と、前記１以上の光源と前記複数の光変調器との間に接続され、そのまたは各々の光源から異なる選択された複数の光変調器の１つへ前記出力される光を切り替える光スイッチとを備えた光通信システムである。優位性としては、前記光スイッチはまた、前記複数の光変調器のうち前記選択された１つまたは複数の変調器から出力される変調された光を切り替えるために、前記複数の光変調器へ接続されていることである。
2004523162.tif 000002
【特許請求の範囲】
【請求項１】
各々がスペクトルの異なる部分において光を生成するための１以上の光源と、
各々が前記１以上の光源によって生成される前記光を入力信号で変調するための複数の光変調器と、
前記１以上の光源と前記複数の光変調器との間に接続され、そのまたは各々の光源から異なる選択された複数の光変調器の１つへ出力される前記光を切り替える光スイッチとを備えた光通信システムにおいて、
前記光スイッチが、前記１以上の光源と前記複数の光変調器との間に接続され、そのまたは１つの光源によって出力される前記光を第１の方向で選択された行路を経由して、前記複数の光変調器の選択された１つに通過させることと、
前記複数の光変調器の前記選択された１つから出力された前記変調された光をその反対方向に前記選択された行路を経由して通過させるようになっている光通信システム。
【請求項２】
１以上の光路指定手段をも含んでいる請求項１に記載の前記光通信システムであって、前記複数の光源、または、各光源が、１以上の光路指定手段を経由して、前記光スイッチに接続されている前記光通信システム。
【請求項３】
複数の入力を有する光多重化装置をも含んでいる請求項２に記載の前記光通信システムであって、前記複数の光変調器の内の前記選択された１つ、または、複数の各々から出力される前記変調された光が、前記光スイッチと前記少なくとも１つの光路指定手段とを経由して、光多重化装置の複数の入力の異なる１つに接続されている光通信システム。
【請求項４】
前記光変調器が反射型である上記いずれか１つの請求項に記載の前記光通信システム。
【請求項５】
前記光変調器が透過型で、１つ以上の第２の光路指定手段を有する請求項２または３に記載の前記光通信システムであって、
前記システムはまた、前記第２の各光路指定手段が、前記光スイッチを経由してそのまたは１つの光源から光を受信するために第１のポートを含んでいる１以上の第２の光路指定手段を有し、
前記そのまたは各々の光路指定手段はまた、前記光変調器の異なる１つに対して前記第１のポートで受信した前記光を通過するための第２のポートと、
出力用の第１のポートへ通過するための前記光変調器の各々から変調された光を受信するための第３のポートとを含んでいる前記光通信システム。
【請求項６】
少なくとも１つの前記光路指定手段と前記第２の光路指定手段が、１以上の光循環器を含んでいる請求項２から５のいずれか１つに記載の前記光通信システム。
【請求項７】
少なくとも１つの前記光路指定手段と前記第２の光路を定める手段が、１以上の偏光ビームスプリッターを含んでいる前記請求項２から５のいずれか１つに記載の前記光通信システム。
【発明の詳細な説明】
【技術分野】
【０００１】
本発明は、光通信システムの分野に関する。
【背景技術】
【０００２】
波長分割多重化（WDM）ラインと環構造は、高い通信トラフィック量を搬送するための好ましい解決策になってきている。信号は、光キャリアの変調として搬送され、各キャリアは、スペクトルの別個の一部分を占有している。これらのシステムは、この波長を伝送するのに必要となる光キャリアを、各位置において選択された波長で発生する必要がある。前記発生が実行される伝送プログラムのコストは、ネットワークの全コストに大きく寄与している。
【０００３】
任意の入力信号が任意の波長で搬送されるため、柔軟性を必要としており、キャリアの前記波長は、任意の物理的なボードとプラグを移動することを必要とせずに変更できる。それゆえに、各入力信号が選択されたキャリアに割り当てられるように光学的な信号のためのスイッチ調整を必要とする。共用の光学的な基準（すなわち、光ファイバと光導波路とを含んでいる）で変調されたキャリアとして信号を搬送することが望ましい。それゆえ、前記スイッチ調整と結合して、単一の伝送ファイバに対して複数の信号の光学的な多重化のための何らかの応用が必要とされる。
【０００４】
【非特許文献１】
固定された波長伝送は、前記伝送ファイバ上で認知され、多重化され、回折格子、干渉フィルタ、または、光学的な集積の導波路を受動的に調整すること用いて、従来から行われてきている（すなわち、M.K.Smit: “光学的位相配列に基づいた新しい集束と分散的な二次元構成要素（New focusing and dispersive planar component based on an optican phased array）”, Electronics Letter, vol. 24, no.7, pp.385-386, Mar, 1988と、
【非特許文献２】
A.R. Vellekoop and M.K. Smit:“弱分極化依存の４チャンネル光集積回路波長分波器(Four-Channel integrated-optic wavelength demultiplexer with weak polarization dependence)”, Journal of Lightwave Technology, vol.9, no3, pp.310-314, Mar.1991と、
【非特許文献３】
C Dragone:“２つのスターカプラーの二次元調整を使ったN×Nの光学的な多重化(An N × N optical multiplexer using a planar arrangement of two star couples)”,Photonics technology Letter, vol.3, no9, pp.812-815, Sept. 1991）。柔軟性のある接続は、パッチ盤または電気的な空間スイッチの手段で、前記光学的伝送に対して電気的な経路指定を変化することによって成し遂げられる。いずれにせよ、この電気的なスイッチは、10Gbits/s以上のような高い時分割多重化（TDM）レートに対しては、問題となり、上記のスイッチの再構成が、遠隔地で要求される。
【０００５】
取るべき選択の調整は、入力の電気信号によって変調された出力で調整可能な波長伝送を利用することと、
【０００６】
【特許文献１】
マルコーニコミュニケーションズの英国特許出願GB 9826108.4で述べられているような積極的に経路を指定する光学的な多重化の手段によって柔軟性を備えることである。これは、参照すると（特に図３から６とその説明の対応する部分を参照）、その中に、組み込まれている。一般に、前記積極的なWDM結合は、商業的に利用できないものであり、前記柔軟性を達成する実際の方法は、単に、受動的なスプリッター／コンバイナーを利用することのみ、すなわち、固定されたファイバコンバイナー、または、導波路コンバイナーのみである。しかしながら、前記スプリッター／コンバイナーは、それらが、単に、入力パワーの1/nだけを（完全なカプラーのために）カプラーでつなぐため、制限される。ここで、nは、結合された行路または分割された行路の数である。WDMについて30から100のチャンネルがあれば、前記調整で経験する一般的な損失を重要視する必要があり、典型的には、光増幅器の利用による保障を必要とする。
【０００７】
高速な光通信では、より良い光学的な信号の質が、分離している入力電気信号によって変調される出力と光変調器、すなわち、DFBダイオードレーザーと電気吸収変調器またはマッハツェンダーニオブ酸リチウム変調器との結合で動作する純粋なスペクトルを有する非変調（すなわち整調されていない）レーザーで達成される。
【０００８】
それは、任意の入力信号を取り、それを任意の搬送波で伝送することが必要となる。
【発明の開示】
【課題を解決するための手段】
【０００９】
本発明は、各々がスペクトルの異なる部分において光を生成するための１以上の光源と、
各々が前記１以上の光源によって生成される前記光を入力信号で変調するための複数の光変調器と、
前記１以上の光源と前記複数の光変調器との間で接続され、前記複数の光源、または、その内の１つから異なる選択された複数の光変調器の１つへ切り替える光スイッチとを含んでいる光通信システムにおいて、
前記光学的な切り替えが、前記１以上の光源と前記複数の光変調器との間で接続され、前記複数の光源、または、その内の１つの光源によって出力される前記光の第１の方向で選択された行路を経由して、前記複数の光変調器の選択された１つを通過し、
前記複数の光変調器の前記選択された１つから出力された前記変調された光の前記第１と反対方法で前記選択された行路を経由して通過する光通信システムを提供する。
【発明を実施するための最良の形態】
【００１０】
本発明の実施例について以下の図を参照し、例を通して説明する。
【００１１】
図１から４は、従来の光通信システムを示す。
【００１２】
図５から８は、本発明の実施例に従う光通信システムを示す。
【００１３】
図９は、より詳細な図８の前記光通信システムの様子を示す。
【００１４】
図１は、伝送ファイバOGの上へ信号を多重送信するための慣習的な光多重化装置Muxとの結合で固定された波長の光伝送OTを示す。前記電気的な信号S1, S2...Snのルーチングが、前記光伝送に対して変更できるように電気的なスイッチ、または、パッチ盤スイッチにより柔軟性が備えられている。
【００１５】
図２は、柔軟性のある積極的に経路指定する光多重化（積極的なWDM結合Mux）で入力電気信号Sp, Sq...Srに対して変調された出力を備える調整できる波長伝送を利用するもう１つの配置を示す。図３は、受動のスプリッター／コンバイナー、すなわち、光増幅器OAと結合する図２の積極的に経路指定する光多重化の部分で固定されたファイバコンバイナー、または、導波路コンバイナーの利用を示す。
【００１６】
図４は、各々がスペクトルで、出力が入力電気信号Sp, Sq...Srによって変調されている光変調器OM1,OM2...OMnの配列の内、固定された１つに対して純粋な出力λ1,λ2,...λnを生成する変調されたレーザーL1,L2...Lnを示す。前記光変調器の前記出力は、光多重化装置Muxに取られる。
【００１７】
２つのスイッチ解決策
図５の例で示すように、本発明は、前記入力信号の電気的なスイッチを避ける方法を提供する。異なるキャリア波長λ1,λ2,...λnを提供している光源LS1,LS2...LSn各々の配列は、第１の光学的nxnのスイッチX1（すなわち、n入力とn出力のポートを有している）の各々異なる入力に接続されている。前記スイッチX1の各出力は、エレクトロ-オプティカル変調器EOM1,EOM2...EOMn（電気吸収変調器、マッハツェンダー干渉計導波路タイプ、または、電気機械式など）の配列の異なる１つに接続されている。各エレクトロ-オプティカル変調器EOMは、信号、すなわち、S1, S2...Snを搬送する電気的な入力を受信し、第１の光スイッチX1から受信される前記光キャリア（すなわち、λo,λq,...λrの内の１つ）上で前記信号をつかませる。それゆえ、各入力信号で搬送されるトラフィックは、第１の光スイッチX1の動作によって、すなわち、光学的であって電気的でない信号を切り替えることによって、望まれる波長キャリア上の経路となる。各エレクトロ-オプティカル変調器EOMからの前記変調された光学的な出力は、前記第２のnxn光スイッチX2の複数の入力の異なる１つに接続されている。前記第２の光スイッチX2の各出力は、光多重化装置Cmuxの異なる入力に接続されている。光多重化装置Cmuxは、補正動作のために各入力に適用される補正周波数を必要とする周波数高感度入力を有している。光多重化装置Cmuxに対する各入力が、前記補正周波数キャリアを受信するために、第２の光スイッチX2により、エレクトロ-オプティカル変調器EOMから出力される前記光学的な信号は、経路が指定される。光多重化装置Cmuxの前記単一の出力は、単一の光路OGに接続されている。光多重化装置Cmuxによって、各々の波長は、単一のファイバに結合される。光多重化装置Cmuxに対する選択肢として、光学的なコンバイナー（示されていない）が用いられる。
【００１８】
選択肢として、図６に示すように、第２のスイッチは、その入力で全ての光信号を結合する受動の光学的スプリッター／コンバイナーPOSCに取って代わられる。前記受動の光スプリッター／コンバイナーは、周波数高感度入力を有さず、それゆえ、第２の光スイッチX2は、必要とされない。上記で示したように、光学的スプリッター／コンバイナーPOSCによって生じる損失は、前記POSCの出力に接続される光増幅器OAを使うことによって、克服される。
【００１９】
単一スイッチ解決策
前記光スイッチと光変調器が反射的手法で利用されるさらに好ましい実施例は、図７で示される。図７に示すように、光は、複数のレーザーL1,L2...Lnで発生する。各レーザーからの前記出力（λ1, λ2...λn）は、複数の光循環器C1, C2...Cnの異なる１つに対して連結される。光循環器は、１つのポートからその次のポートへ次々と光を伝送するが、逆周りのポートでは、次々と非常に高い減衰（すなわち、＞40dB）を有している。ゆえに、図７において、光学的な循環器C1, C2...Cnの第１のポート１に入っている光は、低い損失である循環器の第２のポート２と結合し、第２のポートに入っている光は、第３のポート３と結合し、第３のポートに入っている光は、低い損失である第１のポートと結合する。光循環器C1, C2...Cnの各々は、前記各々のレーザーからnxnの光スイッチX10の異なる入力へ前記光を伝送する。
【００２０】
光スイッチX10の各出力は、複数の反射的光変調器EO1,EO2...EOn（すなわち、変調したキャリアを反射する変調器）の異なる１つに接続されている。光スイッチX10によって、任意の波長で受信される光は、前記光学的反射的変調器EO1,EO2...EOnの任意の１つに対する経路が定められる。光反射変調器EO1,EO2...EOnの各々は、信号を搬送している電気的な入力S1,S2...Snを受信し、光スイッチX10から受信される前記光キャリア上で前記信号をつかませる。それゆえ、各信号で搬送されるトラフィックは、光スイッチX10の動作によって、望まれる波長キャリア上で伝送される。
【００２１】
変調器EO1,EO2...EOnが反射による時、前記変調されたキャリアは、光スイッチX10から前記非変調キャリアを受信するのに用いられる時と同じポートで出力され、非変調キャリアを出力するのに用いられる時と同じポートで光スイッチX10に対して逆向きに結合される。光スイッチX10は、双方向性を有し、前記変調キャリアは、前記スイッチ通って、逆方向の対応する非変調キャリアと同じ経路に従い、前記波長に関するキャリアを発生させた起点（L1,L2...Ln）に戻る方向の経路を定められる。
【００２２】
光スイッチX10の出口で、前記変調されたキャリアは、前記第２のポート２でそれについて前記対応する非変調キャリアを通す複数のC1, C2...Cnの前記光循環器に入る。前記光循環器は、光多重化装置Muxへの入力に接続されている第３のポート３そのものに対して前記変調されたキャリアの経路を定める。すでに、前記光多重化装置は、各入力に適用される前記補正周波数を必要とする周波数高感度入力を有している。前述した前記反射調整は、光多重化装置Muxに対する各入力が、前記補正周波数キャリアを受信するために、前記変調されたキャリアが経路を定められることを確実にする。光多重化装置Muxの前記単一の信号出力は、前記結合された光キャリアはそれを通じて伝送するために単一の光路OGに接続されている。光多重化装置Muxによって、前記各波長は、単一の伝送ファイバへ結合される。
【００２３】
前記光路OGの受信終了時、前記異なるキャリア周波数は、光多重化装置Demuxで分割され、その各出力は、nxnの光スイッチX11の異なる入力に接続される。光スイッチX11の各出力は、光路OGから受信した各キャリア上の信号が、任意のトリビュタリカードへ柔軟に経路が定められるので、トリビュタリカードTC1,TC2...TCnの異なる１つに接続される。各トリビュタリカードTC1,TC2...TCnは、典型的には、光学的に変調された信号を電気的な領域に変換するための光検出器を含んでいる。前記伝送の前記反射経路調整は、100nmよりも大きなスペクトルの幅で十分に信号を検出できる光検出器、すなわち、典型的なWDMシステムの帯域をカバーするのに十分である光検出器が、利用できるので、前記受信機を必ずしも必要としない。
【００２４】
レーザーL1,L2...Lnは、分散フィードバック（DFB）ダイオードレーザーのような回折格子を安定させている内臓の周波数を有する半導体ダイオードレーザーを含んでいる。レーザー選択可能なタイプは、エルビウム添加ファイバを使って構成され、ダイオードレーザーを使って励起される半導体ダイオード分散ブラック反射（DBR）レーザー、ファイバブラックレーザー、または、分散フィードバックファイバレーザーを含んでいる。前記レーザーは、光学的な方向付けをより実利的にする規則的な出力ポートの間隔を与えるために配列形式で構成される。
【００２５】
前記光循環器C1, C2...Cnは、方解石ビームスプリッターを使用するタイプである。前記光循環器に対する選択肢として、偏光ビームスプリッター（PBS）調整は、適当なファラデー回転結晶とファラデー回転磁気のような、変調器に向けた前記PBSの出発と前記PBSへの復帰との間の偏光を循環するための調整と結合して利用される。前記偏光は、ポート１の中へ前記PBSを通って通過し、その時、前記変調器に対してポート２を出て行く。また、前記多重化装置に対するポート３から反射されるポート２で、前記PBSの中へ再度置かれる前に、偏光の程度は、90度変化する。レーザーは、一般的に、偏光された放射を生成するので、PBS、または、循環器は、１つの偏光のみを処理できるタイプで十分である。これは、偏光に比べて複雑でない構成を別々の光循環器とし、集積されたマルチポート循環器の利用を容易にする。
【００２６】
前記光スイッチX1、X2、X10、X11は、熱的に切り替えられた導波路タイプ、つまり、クロスポイントでの液体の移動、または、小型ミラーの機械式移動、または絞りについて、各クロスポイントで液体の蒸発を基本としたタイプに基づいている。
【００２７】
前記光変調器EOM1,EOM2,...EOMn,EO1,EO2,...EOnは、電気吸収導波路、または、ファブリー-ペロータイプ半導体ダイオード、エレクトロオプティック干渉計の（マッハツェンダーのような）タイプの反射、または、変調された半導体光増幅器、または、微小機械式反射高速スイッチである。前記電気吸収変調器は、損失を変更するための半導体ダイオードの逆バイアシングに基づいており、反射の調整に用いられている。二者択一的に、前記変調可能な半導体光増幅器は、反射モードで用いられる。
【００２８】
代わりになるべきものとして、前記変調器は、シリコン構成で実行される静電気で動作させられた絞り反射器を含んでいる。
【００２９】
前記光多重化は、誘電性のミラー結合と回折格子分光計と配列導波路（AWG）分光装置の手段によって成し遂げられる。
【００３０】
透過型変調器での単一スイッチ
吸収エッジ半導体（反射）変調器は、40Gbit/sを超える高速変調を可能としている文献で説明されている。しかしながら、前記変調器での最良の動作は、導波路の核に使われている半導体のバンドエッジに近い波長の範囲で得られたものである。これは、屈折率が、有効な変調のためのバイアスで十分に大きく、変調時の波長で低いチャープを供給するバイアスで十分に低速で変化する波長の範囲である。図７の装置では、任意の波長キャリアは、任意の変調器へ配送されるので、前記最適な状況からの偏差は、パフォーマンスに影響を与える。
【００３１】
さらに好ましい実施例としては、マッハ-ツェンダー変調器のような透過型変調器（すなわち、前記変調されたキャリアを伝送する変調器）が用いられる。優位性としては、マッハ-ツェンダー変調器は、キャリア波長の広い範囲で効果的ということである。マッハ-ツェンダー変調器は、図７の装置における反射モードで用いられる。非常に高速なビットレート進行波のため、マッハ-ツェンダー変調器デバイスは、２つの光学的ポート調整で光を伝送する変調のためにはとても効果的であるが、反射調整で効果は小さい。
【００３２】
図８は、進行波マッハ-ツェンダー変調器、光増幅器、電気吸収半導体タイプのような透過型“２つの光学的ポート”変調器を用いるさらなる好ましい実施例に従う装置を示す。ここで、前記装置は、図７の装置に似ている。両方の図で共通している要素は、同じ基準を与えていることであるが、ここではこれ以上は説明しないことにする。
【００３３】
図７において、前記光変調器に直接的に接続する代わりに、光スイッチX10の前記出力は、それぞれ、複数の光循環器C11,C12...C1nの異なる１つに接続する。光循環器C11,C12...C1nの各々は、スイッチX10の前記各出力ポートから透過型変調器TEO1,TEO2...TEOnの異なる１つへ光を伝送する。各透過型変調器TEO1,TEO2...TEOnは、前記各光循環器で第３のポートに対する各電気的入力S1,S2...Snで受信された前記信号で変調された受信キャリアを出力する。各光循環器C11,C12...C1nは、第３の入力で受信した前記変調されたキャリアを通過させて、第１のポート、すなわち、光スイッチX10から変調されたキャリアを受信するポートで出力する。ゆえに、前記変調されたキャリアは、変調されたキャリアを出力するのに用いられるものと同じポートで光スイッチX10へ（図７の装置のように）逆向きに結合される。前記光路に対する前記変調されたキャリアの伝送は、図７を参照して前述したものと類似した方法で成し遂げられる。
【００３４】
再度、単一偏光の光源が用いられるならば、前記循環器は、偏光ダイバース光循環器よりは複雑でない単一偏光タイプであり得る。
【００３５】
ハイブリッド集積化
図５から８では、構成要素数はかなり多い。しかしながら、これらの構成要素の多くは、類似した機能を有しており、優位性を持って集積化の可能性を創造できる。半導体レーザー配列は、分離したレーザーの位置で用いられる。これらは、DFBレーザー配列であり、すなわち、半導体増幅器配列は、WDM配列源を生成するための回折格子装置で用いられる。半導体光増幅器（SOAs）は、外部共振器レーザー源の配列に達するような方法でシリカまたはシリコン導波路調整と一緒に組み立てられる。前記波長選択反射器は、エッチング、または、現在良く知られている技術であるUV照射によって誘導される構成の拡散の手段で屈折率の変化として前記導波路に対してブラック反射回折格子を負わせることによって集積化される。ファイバDFBレーザーの配列は、シリコンVグルーブ光学台装置を用いて調整されるレーザーが用いられている。
【００３６】
複数の循環器はまた、マルコーニコミュニケーションズの審議中の出願GB 98 26 108で述べられている単一のマルチチャンネル光学デバイスに対して集積化される。ファイバレーザーは、250ミクロン離れて置かれているならば、32チャンネル循環器は、1cm幅よりも小さく生成される。1000ミクロン間隔に対する250ミクロンの光変調の配列は、かなり実用的である。
【００３７】
図７または８の構成は、ハイブリッド集積デバイスとして、あるいは、選択的に、光ファイバと視準レンズとフリースペース光ビーム、または、光ファイバと視準レンズまたはフリースペース光ビームの手段によって、相互接続された簡潔なシステムとして実行される。
【００３８】
図９は、光スイッチX10の出力ポートpと透過型変調器TEOpとの間で接続されている前記光循環器C1pの動作を説明する。非変調キャリアλmは、スイッチX10ポートpから出力され、ポート１から２へ向かい、それから変調キャリア（λm+Sp）を作るために循環器C1pを通過し、電気的入力から信号Spで変調される変調器TEOpへ向かう。変調キャリア（λm+Sp）は、変調器TEOpから出力され、ポート３から１へ、そして、スイッチX10のポートpへ前記循環器C1pを逆方向に通過する。
【００３９】
優位性としては、前記スイッチにおける損失が重要であるので、増幅器は、前記スイッチの後で前記光源と前記変調器との間に配置される。前記増幅器は、SOAsまたはファイバまたはスラブ導波路タイプである。
【図面の簡単な説明】
【００４０】
【図１】伝送ファイバOGの上へ信号を多重送信するための慣習的な光多重化装置Muxとの結合で固定された波長の光伝送OTを示す。
【図２】柔軟性のある積極的に経路指定する光多重化（積極的なWDM結合Mux）で入力電気信号Sp, Sq...Srに対して変調された出力を備える調整できる波長伝送を利用するもう１つの配置を示す。
【図３】受動のスプリッター／コンバイナー、すなわち、光増幅器OAと結合する図２の積極的に経路指定する光多重化の部分で固定されたファイバコンバイナー、または、導波路コンバイナーの利用を示す。
【図４】各々がスペクトルで、出力が入力電気信号Sp, Sq...Srによって変調されている光変調器OM1,OM2...OMnの配列の内、固定された１つに対して純粋な出力λ1,λ2,...λnを生成する変調されたレーザーL1,L2...Lnを示す。
【図５】入力信号の電気的なスイッチを避ける方法を示す。
【図６】図５の第２のスイッチが、その入力で全ての光信号を結合する受動の光学的スプリッター／コンバイナーPOSCに取って代わられる場合を示す。
【図７】光スイッチと光変調器が反射的手法で利用される実施例を示す。
【図８】進行波マッハ-ツェンダー変調器、光増幅器、電気吸収半導体タイプのような透過型“２つの光学的ポート”変調器を用いる実施例に従う装置を示す。
【図９】より詳細な図８の前記光通信システムの様子を示す。
【図２】
2004523162.tif 000003
【図３】
2004523162.tif 000004
【国際公開パンフレット】
2004523162.tif 000005
2004523162.tif 000006
2004523162.tif 000007
2004523162.tif 000008
2004523162.tif 000009
2004523162.tif 000010
2004523162.tif 000011
2004523162.tif 000012
2004523162.tif 000013
2004523162.tif 000014
2004523162.tif 000015
2004523162.tif 000016
2004523162.tif 000017
2004523162.tif 000018
2004523162.tif 000019
2004523162.tif 000020
2004523162.tif 000021
2004523162.tif 000022
2004523162.tif 000023
2004523162.tif 000024
2004523162.tif 000025
2004523162.tif 000026
2004523162.tif 000027
【国際調査報告】
2004523162.tif 000028
2004523162.tif 000029
2004523162.tif 000030